(57)【要約】  式Ｉ（式中、Ｘは、ＯＨ、ＯＭ、ＮＨ−Ｒ１、Ｏ−Ｒ１であり；Ｍは、アルカリもしくはアルカリ土類金属、遷移金属、または第四級窒素原子を含む陽イオンであり；Ｙは、ＨまたはＲ２であり；Ｒ１は、オリゴ糖／多糖の残基であり；Ｒ２は、Ｃ１〜Ｃ４直鎖状脂肪族カルボン酸またはクエン酸の残基であるが；少なくとも１個のＸが、ＮＨ−Ｒ１またはＯ−Ｒ１であり、他の２個のＸが、酸（ＯＨ）または塩化形態（ＯＭ）で存在することを条件とする）で示されるオリゴ糖／多糖の非架橋誘導体。
2010514879.tif 000002
【特許請求の範囲】
【請求項１】
式：
【化２】
2010514879.tif 000004
（式中、
Ｘは、ＯＨ、Ｏ−Ｍ、ＮＨ−Ｒ１、Ｏ−Ｒ１であり；
Ｍは、アルカリもしくはアルカリ土類金属、遷移金属、または第四級窒素原子を含む陽イオンであり；
Ｙは、ＨまたはＲ２であり；
Ｒ１は、オリゴ糖／多糖の残基であり；
Ｒ２は、Ｃ１〜Ｃ４直鎖状脂肪族カルボン酸またはクエン酸の残基であるが；
ここで、少なくとも１個のＸが、ＮＨ−Ｒ１またはＯ−Ｒ１であり、他の２個のＸが、酸（ＯＨ）または塩化形態（ＯＭ）で存在することを条件とする）を有する、オリゴ糖／多糖の非架橋誘導体。
【請求項２】
Ｒ１が、キトサン、プルラン、カラゲナンの残基であるか、またはヒアルロナン、コンドロイチン硫酸、ヘパラン硫酸、デルマタン硫酸、ケラタン硫酸から選択されるグリコサミノグリカンの残基である、請求項１記載の誘導体。
【請求項３】
Ｒ１が、低分子量のデキストリンである、請求項１記載の誘導体。
【請求項４】
Ｒ１が、カルボキシメチルセルロース、ヒドロキシエチルセルロースまたはヒドロキシプロピルセルロースの残基である、請求項１記載の誘導体。
【請求項５】
Ｒ１が、残存のＮ−アセチルグルコサミンを異なる割合で含むキトサンの残基である、請求項１記載の誘導体。
【請求項６】
１０３〜１０７ダルトン、好ましくは１０４〜５×１０５ダルトンの分子量を有する、請求項１〜５のいずれか１項記載の誘導体。
【請求項７】
０．０１〜１．００×Ｎの、クエン酸エステル中の置換度を有し、ここでＮが、糖の反復単位に含まれるヒドロキシルの数と等しい、請求項１〜６のいずれか１項記載の誘導体。
【請求項８】
糖の反復単位に関して０．１６〜０．５０の、クエン酸エステル中の置換度を有する、請求項７記載の誘導体。
【請求項９】
カルボキシルが、酸の形態、あるいはアルカリもしくはアルカリ土類金属、遷移金属または第四級窒素原子を有する陽イオンの塩形態で存在する、請求項１〜８のいずれか１項記載の誘導体。
【請求項１０】
環状無水クエン酸またはＣ１〜Ｃ４直鎖状脂肪族カルボン酸もしくはクエン酸でエステル化されたヒドロキシルを有する環状無水クエン酸を含む溶液の添加、あるいは適切な有機溶媒中での前記無水クエン酸および塩基とオリゴ−多糖の溶液との混合物の添加を含む、請求項１〜９のいずれか１項記載の誘導体の製造方法。
【請求項１１】
溶媒が、ホルムアミドである、請求項１０記載の方法。
【請求項１２】
塩基が、三置換された窒素を１原子含む脂肪族、芳香族もしくは複素環有機塩基、無機塩基、またはそれらの混合物である、請求項１０または１１記載の方法。
【請求項１３】
塩基が、トリエチルアミンである、請求項１２記載の方法。
【請求項１４】
保湿化粧製剤、スキンケアおよび個人衛生のための添加剤としての、請求項１〜９のいずれか１項記載の誘導体の使用。
【請求項１５】
場合により適切な賦形剤、担体または活性成分と混合された、請求項１〜９のいずれか１項記載の誘導体を含む、医薬組成物または医薬補助剤。
【発明の詳細な説明】
【技術分野】
【０００１】
本発明は、クエン酸とのエステル結合またはアミド結合を有し、出発の糖に関して架橋されておらず、水溶性であることを特徴とするオリゴ糖／多糖に関する。そのエステル結合またはアミド結合は、クエン酸のカルボキシル官能基および出発オリゴ糖／多糖上に存在するヒドロキシルまたはアミノ官能基を含む。
【０００２】
製造に必要となる穏やかで制御可能な条件を考慮すると、これらの誘導体は、出発オリゴ糖／多糖に比較して、明確で再生可能な特性を有し、更なる構造または分子量の改変が存在しない。
【０００３】
それらは、非常に高い、重量単位あたりの水和能を有し、その結果、水和状態では、接触部の外部の系（例えば、皮膚組織または粘膜）を水和するための高い能力を有する。これらの誘導体は、調節能力も示し、金属イオン（例えば、Ａｇ、Ｚｎ、Ｆｅ、Ｃｕなど）を錯化／塩化する。これらの特性、ならびに特にそれらの一定した組成および再生能を考慮すると、本発明の生成物は、水和剤もしくは医薬品の成分として、またはびらんの治癒における金属イオン（例えば、Ａｇ、Ｚｎ、ＦｅまたはＣｕ）の錯体／塩として、医薬および化粧品業界で有利に用いることができる。その錯体／塩は、静菌／抗菌剤として用いることもできる。
【０００４】
本発明は、水溶液、水／溶媒、または有機溶媒のみ、しかし好ましくは有機溶媒の中での製造方法にも関する。非常に穏やかな温度の反応条件では、置換度に関して均一であるオリゴ糖／多糖は分解されない。その上、クエン酸残基は、Ｃ１〜Ｃ４直鎖状脂肪族カルボン酸またはクエン酸によりヒドロキシル上でエステル化することができる。本発明は、得られたエステルにも関する。
【０００５】
先行技術
【０００６】
デンプンおよびセルロースをクエン酸誘導体（クエン酸または無水クエン酸）と反応させる方法が、公知である。これらの方法は、基本的に以下のステップを含む：１）所定の期間、混合することにより、中間体のクエン酸エステル化剤（通常は無水クエン酸）の形成を潜在的に誘導し得る薬剤の存在下で、水をほとんどまたは全く含まない多糖およびクエン酸のペーストまたは懸濁液を形成させるステップ；２）混合物が乾燥するまで水を除去するステップ；３）高温で（１８０℃まで）乾燥生成物を加熱するステップ。これらのステップ、特に乾燥および加熱処理により、最初の多糖（分子量の減少、酸化および脱離による糖鎖の破壊）および最後の多糖（ランダムで非制御的な分子間架橋など）において広範な分解的構造変化が起こり易くなり、最終的な物質の一定した組成および再生能が保証されなくなる。しかし以下に述べるとおり、これらの要件が業界で不可欠ではなく調節的な事で特別に必要とされ、それらが広範囲で変動したとしても技術的に許容され得るような平均的特性（例えば、金属イオン封鎖能、液体吸収能など）を十分に満たす適用分野のために、得られた生成物の使用が設定されたが、とりわけその適用は非常に大量で付加価値の低い市場に向けて設定されているため、それらは低い製造コストを含まなければならない。この後者の態様は、はるかに高価である無水クエン酸よりもクエン酸が用いられ、その結果、クエン酸からのin situ形成が好まれた理由も説明している（先に述べた組成および再生能の関連問題の全てを含めて）。
【０００７】
これらの生成物で提案される使用は：
１．冷凍食品の離液を防ぐ能力により食品添加物として、または食物繊維として；
２．廃水の処理における重金属封鎖樹脂として、または単に生分解性イオン交換樹脂として、
である。
【０００８】
こうして、例えば、US2,461,139には、クエン酸および無水酢酸からその場で（in situ）得られる無水クエン酸を用いたデンプン誘導体の合成が記載されており、乾燥法およびアルカリ水性懸濁液中での方法の両方が用いられている。得られた誘導体は、紡織、紙および食品業界で用いることができる。
【０００９】
US2,935,510には、架橋剤としてクエン酸を用いた水性懸濁液中でのデンプンの酢酸エステルおよびプロピオン酸エステルの合成方法が記載されている。これらの誘導体は、冷凍食品の添加剤として使用される。
【００１０】
１１０〜１４０℃の温度での乾燥法によるクエン酸を用いたデンプンの誘導体化法が、多数の参考文献に記載されているが（Starch, 30, 1978, No.2, pp.47-51）、これらの研究から、乾燥法では反応パラメータ（温度など）を非常に精密に制御して、過剰な架橋を防ぐ必要があることが示された（Starch, 48, 1996, No. 7/8, pp.275-279）。乾燥法は高い置換度を含まず、１２．２％〜１４．４％（Starch, 51, 1999, No. 10, pp. 354-361）および１６．０％（Starch, 56, 2004, pp.364-370）のＤＳ値（クエン酸残基のモル数と多糖のモル数との比）が、報告されている。多糖を高温に保持するため、乾燥法は、ポリマー鎖の部分的分解および副生成物の形成を引き起こす（Starch, 54, 2002, pp. 185-192）。
【００１１】
幾つかの特許は、クエン酸を用いたセルロースまたは木材の誘導体化に関する。
【００１２】
US2,759,787には、水および有機溶媒に不溶性のポリマーマトリックスを製造するセルロース誘導体の乾燥合成法が記載されており、得られた生成物は、水溶液中の大分子またはイオンを封鎖する樹脂として用いることができる。他の多糖用にも、架橋剤としてクエン酸を使用することが報告されている。
１．機械抵抗性フィルムを製造するための、ヒドロキシプロピルメチルセルロース（Carb. Pol, 51, 2003, pp. 265-271）；
２．抗菌性を備えた織物を得るための、木材繊維と架橋されたキトサン（J. Appl. Polym. Sci, 94, 2004, pp. 1999-2007）；
３．抗菌活性を備えた生成物を得るための、クエン酸架橋によりキトサンに結合したβ−シクロデキストリン。
【００１３】
先行技術の文書の多くは、熱の作用によるクエン酸の脱水（乾燥法）または適切な乾燥剤による続く処理を利用して得られる無水クエン酸の形成を提案している。
【００１４】
EP282289には、長鎖脂肪族アルコールでエステル化されたクエン酸モノエステルの塩の合成方法およびその化粧品での使用が報告されている。アルコールを炭水化物（オリゴ糖または多糖）から誘導するクエン酸のモノエステルは、引用されてない。
【００１５】
結論として、デンプンおよびセルロースによるクエン酸の誘導体は、既に記載されているが、二官能性架橋として作用するクエン酸によりエステル化されたシクロデキストリンに結合するキトサンが、用いられている。
【００１６】
公知の生成物は、約１５０〜１８０℃での粗多糖およびクエン酸からの乾燥法により得られるか、または粗デンプン、クエン酸および有機酸の無水物から塩基性水性スラリー中で得られる。しかし、これらの方法により得られる生成物は、先に定義されたとおり低い置換度を示し（最大ＤＳ＝１６％）、分子量の減少およびグルコール単位上の二重結合の形成、または他の付随反応により、ポリマーが分解作用を受ける。これらの作用は、多くの場合、設定された生成物にとって（例えば、廃水中の金属イオンの凝集／封鎖剤として）重要ではない。それゆえその合成条件は、これらの性質を向上させるために、架橋を促進するよう設定されている。
【００１７】
それゆえ、明確で再生可能な特性を有し、構造が天然多糖と根本的に異ならないために適用可能性が広範に及ぶ、クエン酸を用いた多糖のエステルが求められている。
【００１８】
発明の記載
【００１９】
本発明は、予期しない吸湿性を有し、化粧製剤または医薬製剤の成分として有用な非架橋性クエン酸化水溶性多糖に関する。
【００２０】
本発明の多糖は、合成が非常に穏やかな条件（周囲温度、不活性溶媒、例えばホルムアミドまたはＤＭＦ、および見かけ上のpH条件が６．５〜９．０でのトリエチルアミンによる活性化）を含み、それゆえ分解性でないため、出発オリゴ糖／多糖成分の不可逆的構造変化を示さない（医薬および化粧品利用での前提条件）。
【００２１】
本発明の方法は、Ｃ１〜Ｃ４直鎖状脂肪族カルボン酸（ギ酸、酢酸、トリフルオロ酢酸、ジクロロ酢酸、トリクロロ酢酸、プロピオン酸または酪酸）を用いた公知の方法により、ヒドロキシルがエステル化され得る環状無水クエン酸の合成および単離も含む。その後、これらの誘導体をオリゴ糖／多糖と反応させて、クエン酸とのエステル結合またはアミド結合、架橋の非存在および水溶性を特徴とする生成物を得る。そのエステル結合またはアミド結合は、クエン酸のカルボキシル官能基および出発オリゴ糖／多糖に存在するヒドロキシルまたはアミノ官能基を含む。
【００２２】
記載された穏やかな条件下で環状無水クエン酸を直接使用することで、クエン酸の一方のカルボキシルのみが糖残基に結合し、他の２個は酸または塩化形態で存在することが可能となる。
【００２３】
本発明の誘導体は、以下の式：
【００２４】
【化１】
2010514879.tif 000003
【００２５】
（式中、
Ｘは、ＯＨ、Ｏ−Ｍ、ＮＨ−Ｒ１、Ｏ−Ｒ１であり；
Ｍは、アルカリもしくはアルカリ土類金属、遷移金属、または第四級窒素原子を含む陽イオンであり；
Ｙは、Ｈ、Ｒ２であり；
Ｒ１は、オリゴ糖／多糖の残基であり；
Ｒ２は、Ｃ１〜Ｃ４直鎖状脂肪族カルボン酸またはクエン酸の残基であるが；
ここで、少なくとも１個のＸが、ＮＨ−Ｒ１またはＯ−Ｒ１であり、他の２個のＸが、酸（ＯＨ）または塩化形態（ＯＭ）で存在することを条件とする）を有する。
【００２６】
オリゴ糖／多糖は、キトサン、プルラン、カラゲナンから選択されるか、またはヒアルロナン、コンドロイチン硫酸、ヘパラン硫酸、デルマタン硫酸、ケラタン硫酸、低分子量デキストリンおよびアルキルセルロース（カルボキシメチルセルロース、ヒドロキシエチルセルロースまたはヒドロキシプロピルセルロース）の溶解性誘導体から選択されるグリコサミノグリカンである。
【００２７】
前記オリゴ糖／多糖は、代表的には、１０３〜１０７ダルトンの分子量を有する。
【００２８】
本発明の生成物の製造方法は、環状無水クエン酸またはＣ１〜Ｃ４直鎖状脂肪族カルボン酸もしくはクエン酸でヒドロキシルにエステル化された環状無水クエン酸を含む溶液の添加、あるは適切な有機溶媒（ホルムアミド、ジメチルホルムアミドまたはジメチルスルホキシド）中での前記無水クエン酸および塩基とオリゴ−多糖の溶液との混合物の添加を含む。
【００２９】
塩基の例は、脂肪族（例えば、トリエチルアミン、ＤＢＯ、ＤＢＵ，ＤＡＢＣＯまたはヘキサミン）、芳香族（例えば、イミダゾール、ピリジンまたはジメチルアミノピリジン）または複素環（例えば、ピロリジン）であってもよい、三置換された窒素を１原子含む有機塩基、無機塩基（例えば、Ｋ３ＰＯ４、Ｋ２ＨＰＯ４、酢酸カリウムまたはＭｎＣＯ３（Ｍ＝アルカリまたはアルカリ土類金属））、またはそれらの混合物である。トリエチルアミンが、好ましい。
【００３０】
本発明の生成物は、糖の反復単位に関して０．０１〜１．００、好ましくは０．１６〜０．５０である、クエン酸エステル中の置換度を有する。
【００３１】
本発明の生成物は、酸の形態、あるいはアルカリもしくはアルカリ土類金属塩、遷移金属（例えば、Ｚｎ、ＣｕおよびＡｇ）または第四級窒素原子を有する陽イオンの形態のカルボキシルが存在する。
【００３２】
本発明の生成物は、医薬製剤中で、可能ならば適宜、陽イオン性抗生物質または抗真菌剤を配合する、保湿化粧製剤、スキンケアおよび個人衛生（personal hygiene）のための添加剤として、または殺菌もしくは抗菌作用などを有する医療補助剤（medical aids）として用いることができる。
【図面の簡単な説明】
【００３３】
【図１】図において、ＣＭＣおよびクエン酸化ＣＭＣ（実施例１）の流動曲線を示す。
【００３４】
以下の実施例は、本発明をより詳細に示している。
【００３５】
実施例
１Ｈ  ＮＭＲ分析を、グラジエントｚ（gradient z）の５mm多核プローブを備えたBruker Avance 400分光計により、Ｄ２Ｏ中で３００°Ｋで実施した。分析は、拡散秩序化実験（diffusion-ordered experiments）（ＤＯＳＹ：Diffusion Ordered Spectroscopy）も利用した。
【００３６】
実施例１．カルボキシメチルセルロースクエン酸エステルの合成
カルボキシメチルセルロースナトリウム塩５．０ｇを、９５℃でホルムアミド１６５mlに５時間溶解し、その後、その温度を２５℃に低下させた。ホルムアミド３０mlに溶解した無水クエン酸３．９ｇ、およびトリエチルアミン１５．０mlを添加した。撹拌しながら、反応を２５℃で６時間保持した。その後、水２００mlを添加し、混合物を限外ろ過により精製した。その後、その水溶液凍結し、凍結乾燥した。凍結乾燥品５．３ｇを回収した。
【００３７】
凍結乾燥品１０mgをＤ２Ｏ  ０．７mlに溶解し、ＮＭＲ分析管に移した。クエン酸に関連するメチレンシグナル（２．８ppm）の積分値から、２３％のＤＳ値が得られた。
【００３８】
実施例２．キトサンクエン酸アミドの合成
キトサン３１６mgを、pH３のトリフルオロ酢酸で酸性化した水３５mlに溶解し、その後、凍結乾燥し、凍結乾燥品４５７mgを回収して、周囲温度のホルムアミド２３mlに溶解した。ホルムアミド２mlに溶解した無水クエン酸１２１mg、およびトリエチルアミン２３０μlを添加した。撹拌しながら、反応を２５℃で１６時間保持した。その後、水３０mlを添加し、混合物を透析により精製した。その後、その水溶液凍結し、凍結乾燥した。凍結乾燥品２４０mgを回収した。
【００３９】
凍結乾燥品１０mgをＤ２Ｏ  ０．７mlに溶解し、ＮＭＲ分析管に移した。クエン酸に関連するメチレンシグナル（２．８ppm）の積分値から、２９％のＤＳ値が得られた。
【００４０】
実施例３．プルランクエン酸エステルの合成
プルランデンプン１２５mgを、８０℃でホルムアミド４mlに１５分間溶解し、その後、その温度を２５℃に低下させた。ホルムアミド１．５mlに溶解した無水クエン酸１２１mg、およびトリエチルアミン４３０μlを添加した。撹拌しながら、反応を２５℃で１６時間保持した。その後、水３０mlを添加し、溶液をpH７に中和した。最後に、混合物を限外ろ過により精製した。その後、その水溶液凍結し、凍結乾燥した。凍結乾燥品１５７mgを回収した。
【００４１】
凍結乾燥品１０mgをＤ２Ｏ  ０．７mlに溶解し、ＮＭＲ分析管に移した。クエン酸に関連するメチレンシグナル（２．８ppm）の積分値から、３６％のＤＳ値が得られた。
【００４２】
実施例４．ヒアルロン酸クエン酸エステルの合成
ヒアルロン酸ナトリウム塩２００mgを、８０℃のホルムアミド６．６mlに４時間溶解し、その後、その温度を２５℃に低下させた。ホルムアミド１．０mlに溶解した無水クエン酸８７mg、およびトリエチルアミン２７８μlを添加した。撹拌しながら、反応を２５℃で１６時間保持した。その後、水１００mlを添加し、溶液をpH７に中和した。最後に、混合物を透析および限外ろ過により精製した。その後、その水溶液凍結し、凍結乾燥した。凍結乾燥品２３５mgを回収した。
【００４３】
凍結乾燥品１０mgをＤ２Ｏ  ０．７mlに溶解し、ＮＭＲ分析管に移した。クエン酸に関連するメチレンシグナル（２．８ppm）の積分値から、１８％のＤＳ値が得られた。
【００４４】
実施例５．デキストリンクエン酸エステルの合成
デキストリン１０  １０５mgを、２５℃のホルムアミド４mlに溶解し、ホルムアミド１．５mlに溶解した無水クエン酸１１２mg、およびトリエチルアミン４６０μlを添加した。撹拌しながら、反応を２５℃で４時間保持した。その後、反応混合物をＴＦＡで酸性化し、激しく撹拌しながらアセトンに滴下した。得られた沈殿物をデカントし、遠心分離してアセトン１０mlで２回洗浄し、再度遠心分離して最後に乾燥させた。
【００４５】
乾燥した多糖１０mgをＤ２Ｏ  ０．７mlに溶解し、ＮＭＲ分析管に移した。クエン酸に関連するメチレンシグナル（２．８ppm）の積分値から、２７％のＤＳ値が得られた。
【００４６】
実施例６、保湿クリーム  油／水の製造
クエン酸化された多糖を含む保湿クリームの製造を、報告する。その油／水クリーム製剤は、皮膚用化粧品で一般に用いられる賦形剤（例えば、乳化剤、増粘剤、油、ゼリー（jellying）、防腐剤など）と混合された保湿剤としての実施例１で製造された化合物を、１％w/w濃度で含有した。
【００４７】
要約すると、製造を以下に詳細に示すとおり行った。
【００４８】
脱イオン水６００mlを、ターボ乳化機に添加し（エマルジョンの総重量の約６０％に対応する）、油を約７０℃で撹拌しながら添加した。混合物を乳化し、温度を４０℃まで低下させた。その後、揮発物および易熱性成分を、実施例１に記載したとおり製造されたＣＭＣクエン酸エステルの水溶液と共に添加した。エマルジョンを緩やかに撹拌しながら放置し、２５〜３０℃に加温して、最終生成物を適切な容器に移した。
【００４９】
以下の組成物を含むクリームを製造した（％p/p）：
ＣＭＣクエン酸エステル（実施例１）                      １
油（パルミチン酸およびカプリル酸トリグリセリド）      １２
非イオン系乳化剤                                        ６
セチルアルコール                                        ２
ジメチコン                                              ４
ＭｇＡｌケイ酸                                          ２
グリセリン                                              ３
キシリトール                                            ２
メチル／エチル−パラベン                            ０．７
Ｈ２Ｏ                                総量１００になるまで
【００５０】
実施例７．流動学的実験
流動学的測定のために、カルボキシメチルセルロース（ＣＭＣ）およびクエン酸化ＣＭＣ（実施例１により製造）の水性系を検査した。生理食塩水に１０％w/wの濃度で溶解した試料で、テストを実施した。
【００５１】
応力制御型レオメーター：Rheostress Haake RS150を用いた。その装置は、高次または低次構造系用に、それぞれ粗面または滑面センサー（rough or smooth surface sensors）を備えており、測定は全て、専用の温度コントローラを用いて２５℃で実施した。
【００５２】
我々の系の流動学的挙動を予め定義および比較するために、広範囲のせん断応力で粘度の連続／定常状態測定（流動曲線）を実施した。
【００５３】
図において、ＣＭＣおよびクエン酸化ＣＭＣ（実施例１）の流動曲線を示す。
【００５４】
本来のＣＭＣプロファイルは、構造系に特有で、中等度のゼロせん断粘度、加えられた応力の上昇に応じた見かけ上の上昇、および臨界応力に達した時の粘度降下を特徴とする。これに対して、クエン酸化ＣＭＣは、溶液のように挙動し、せん断応力の範囲全体での低粘度および加えられた応力への非常に低い依存性を示す。
【図１】
2010514879.tif 000005
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
式：
【化１】
2010514879.tif 000006
（式中、
Ｘは、ＯＨ、Ｏ−Ｍ、ＮＨ−Ｒ１、Ｏ−Ｒ１であり；
Ｍは、アルカリもしくはアルカリ土類金属、遷移金属、または第四級窒素原子を含む陽イオンであり；
Ｙは、ＨまたはＲ２であり；
Ｒ１は、キトサン、プルラン、カラゲナンから選択されるオリゴ糖／多糖の残基であるか、またはヒアルロナン、コンドロイチン硫酸、ヘパラン硫酸、デルマタン硫酸、ケラタン硫酸から選択されるグリコサミノグリカンの残基であり；
Ｒ２は、Ｃ１〜Ｃ４直鎖状脂肪族カルボン酸またはクエン酸の残基であり；
クエン酸残基の１つのカルボキシ基は糖残基に結合しており、他の２つは塩形態の酸に存在し、
ここで、少なくとも１個のＸが、ＮＨ−Ｒ１またはＯ−Ｒ１であり、他の２個のＸが、酸（ＯＨ）または塩化形態（ＯＭ）で存在することを条件とする）を有する、オリゴ糖／多糖の非架橋誘導体。
【請求項２】
Ｒ１が、低分子量のデキストリンである、請求項１記載の誘導体。
【請求項３】
Ｒ１が、カルボキシメチルセルロース、ヒドロキシエチルセルロースまたはヒドロキシプロピルセルロースの残基である、請求項１記載の誘導体。
【請求項４】
Ｒ１が、残存のＮ−アセチルグルコサミンを異なる割合で含むキトサンの残基である、請求項１記載の誘導体。
【請求項５】
１０３〜１０７ダルトン、好ましくは１０４〜５×１０５ダルトンの分子量を有する、請求項１〜４のいずれか１項記載の誘導体。
【請求項６】
０．０１〜１．００×Ｎの、クエン酸エステル中の置換度を有し、ここでＮが、糖の反復単位に含まれるヒドロキシルの数と等しい、請求項１〜５のいずれか１項記載の誘導体。
【請求項７】
糖の反復単位に関して０．１６〜０．５０の、クエン酸エステル中の置換度を有する、請求項６記載の誘導体。
【請求項８】
カルボキシルが、酸の形態、あるいはアルカリもしくはアルカリ土類金属、遷移金属または第四級窒素原子を有する陽イオンの塩形態で存在する、請求項１〜７のいずれか１項記載の誘導体。
【請求項９】
環状無水クエン酸またはＣ１〜Ｃ４直鎖状脂肪族カルボン酸もしくはクエン酸でエステル化されたヒドロキシルを有する環状無水クエン酸を含む溶液の添加、あるいは適切な有機溶媒中での前記無水クエン酸および塩基とオリゴ−多糖の溶液との混合物の添加を含む、請求項１〜８記載の誘導体の製造方法。
【請求項１０】
溶媒が、ホルムアミドである、請求項９記載の方法。
【請求項１１】
塩基が、三置換された窒素を１原子含む脂肪族、芳香族もしくは複素環有機塩基、無機塩基、またはそれらの混合物である、請求項９または１０記載の方法。
【請求項１２】
塩基が、トリエチルアミンである、請求項１１記載の方法。
【請求項１３】
保湿化粧製剤、スキンケアおよび個人衛生のための添加剤としての、請求項１〜８のいずれか１項記載の誘導体の使用。
【請求項１４】
場合により適切な賦形剤、担体または活性成分と混合された、請求項１〜８のいずれか１項記載の誘導体を含む、医薬組成物または医薬補助剤。
【国際調査報告】
2010514879.tif 000007
2010514879.tif 000008
2010514879.tif 000009